(57)【要約】      （修正有）【課題】従来の床タイルの張り並べ方法においては、床タイルとそれに隣接する床タイルの間に、隙間を持たせながら張り並べ、その隙間に目地材を必要とする。その目地が、ひび割れやはがれを起こしている。又、その目地部分のみを施工実施する工程が、かならず必要である。その上、補修の際は施工しづらく、タイルをはがしたのち、再度張り直しした場合、その場所が目立つ場合がある。【解決手段】床タイルの側面の形状を斜めに形成することで、床タイルとそれに隣接する床タイルを数ｍｍ重ねて張り並べる。重なりを持たせることで従来の目地部分の隙間を排除でき、目地部分のひび割れやはがれは当然なくなる。【選択図】図２
2006022632.tif 000002
【特許請求の範囲】
【請求項１】
床タイルと床タイルとの間に、数ｍｍの隙間を設け、主成分にセメント等を利用した、目地材での目地処理を行う施工方法を必要としないことを特徴とする床タイル。
【請求項２】
請求項１に記載した床タイルにおいて、床タイルの側面の形状を数ヶ所、斜めにすることを、特徴とする床タイル。
【請求項３】
請求項１に記載した床タイルにおいて、床タイルの側面の斜めの形状を利用し、施工方法は、数ｍｍ部分の重なりを持たせながら床タイルを張り並べて、目地部分を目立たせないようにすることを、特徴とする床タイル。
【発明の詳細な説明】
【発明の詳細な説明】
【技術分野】
【０００１】本発明は、建築に用いる床仕上げ材である床タイルの形状に関する。
【背景技術】
【０００２】従来の建築に用いる床仕上げ材である床タイルの形状は、数種類のサイズ及び数種類の平面上の形状はあるが、側面が平面に対し、垂直に形成されているものである。図１２に示すように、現在の施工方法の主流は（図１２では正方形の床タイルを施工表現した場合の図の１部分の１例）、施工の際、１０床タイルと１０床タイルの間に数ｍｍの隙間を設けながら、下地の上にセメント等を利用する接着材料で張り並べた上で、その隙間である目地部分に、主成分をセメント等を利用した１１目地材で目地処理を実施する。
【発明が解決しようとする課題】
【０００３】しかしながら、以上の技術によれば、目地部分のみを施工実施する工程が工事の流れ上かならずある。又、目地部分の材料が、タイルそのものの膨張や構造物の振動、目地施工状況の不備等より、ひび割れや、はがれるといった現象を起こしている場合がある。
【０００４】又、以上の技術によれば、床タイルの張り付け状態に不具合が発生した際に、その不具合の部分の床タイルをはがし、再度補修した場合、その周辺部分の新たにした目地が、目立つという場合が多い。そこで、この発明は、目地部分を目立たなくし、補修の処理状態も美しく仕上げた上で容易に施工出来る床タイルの形状を提供することを課題とする。
【課題を解決するための手段】
【０００５】以上の課題を解決するために、本発明は、図２、図３、図４、図５、図６、図７、で示す形状のように床タイルの側面を数ヶ所斜めに形成し、数ｍｍの重ね部分を持たせながら床タイルを張り並べることを特徴とする床タイルである。
【０００６】従って、この床タイルの形状にあっては、従来のような、主成分をセメント等を利用した目地を処理する隙間がほとんど無く、床タイルを張り並べることができる。
【発明の実施するための最良の形態】
【０００７】以下に、本発明の実施の形態に係る床タイルを図面に従って説明する。図２と図３は本発明を適用した床タイル２の形状、図４と図５は本発明を適用した床タイル３の形状、図６と図７は本発明を適用した床タイル４の形状を示すものである。この床タイルは、図３、図５、図７の展開図が示すように、数ヶ所に斜めの形状の側面を持ち、形成されて成る。（斜めの形状を示す側面部分は、図３の床タイル２の場合２−ｃ−ア、２−ｄ−ア、２−ｄ−イ、２−ｅ−ア、２−ｆ−ア、２−ｆ−イの６ヶ所であり、図５の床タイル３の場合３−ｃ−イ、３−ｃ−ウ、３−ｃ−エ、３−ｄ−ア、３−ｄ−イ、３−ｄ−ウ、３−ｄ−エ、３−ｅ−ア、３−ｆ−ア、３−ｆ−イの１０ヶ所であり、図７の床タイル４の場合４−ｃ−イ、４−ｃ−ウ、４−ｄ−ア、４−ｄ−イ、４−ｄ−ウ、４−ｄ−エ、４−ｄ−オ、４−ｅ−イ、４−ｅ−ウ、４−ｆ−ア、４−ｆ−イ、４−ｆ−ウの１２ヶ所である。）
【０００８】本発明の床タイルの形状を示す２−ａ、３−ａ、３−ｃ、４−ａ、４−ｃ、４−ｅ、の平面上の寸法（サイズ）及び平面上の形状は、四角形もしく長方形であれば、製造段階での形成上支障の無いかぎり、多種多様にわたる。その上で従来の磁器質、せっ器質、もしくは樹脂にて形成されて成る。
【０００９】本発明の床タイルの形状を利用しての下地への張り並べる方法は、図８で示すように（２の床タイルのみを並べた場合の一例）床タイル２の２−ｆ側面の２−ｆ−イを横に並ぶ床タイル２の２−ｅ側面の２−ｅ−アの上に重なるように、又、床タイル２の２−ｄ側面の２−ｄ−イを横に並ぶ床タイル２の２−ｃ側面の２−ｃ−アの上に重なるように張り並べて施工を行う。つまり、床タイル２の場合は２方向の側面が隣接するタイル面の上にかぶせるように（５で示す矢印がそれを示す。）なり、その反対側の２方向の側面が隣接するタイル面とそれを張り付けている下地の間に挟まれたように取付ける。
【０００１０】又、
【０００９】で述べた、床タイル２を張り並べた隣接に床タイル３を張り並べる場合（図１で示す張り並べの場合）は、床タイル２の２−ｃ側面の２−ｃ−アの面に、床タイル３の３−ｄ側面の３−ｄ−イの面を上から重なるようにならべ、床タイル３の３−ｅ側面の３−ｅ−アの面に、横に並ぶ床タイル３の３−ｆ側面の３−ｆ−イの面を上から重なるように並べる。
【０００１１】図１は、床タイル２、床タイル３、床タイル４を利用し、コーナー部分を踏まえた下地形状に張り並べる方法の各タイルの向きを示す図である。注意点として床タイル３には図４に示した斜視図の形状を３（Ｒ）とし、その形状の３−ｅ側面と３−ｆ側面が反転した形状のものを３（Ｌ）とした２種類の形状を必要とする。その床タイル３の（Ｒ）と（Ｌ）を張り並べた上で４を張り並べる。
【０００１２】正、図９が示す、床タイル２を並べた断面図のように６の下地材の上に７の接着する材料で床タイル２を固定（接着）するが、下地材やタイルそのものの収縮を考慮し、床タイルとその隣接する床タイルの間に、目立たないほどの隙間を取り、弾力性のある透明の目地材で、その隙間を埋める。
【０００１３】本発明の床タイルを張り並べてしまうと、図１で示す上から見た平面図のように、各床タイルの接続部分にＶ（ブイ）型の小さな溝ができ、美しく仕上ることができる。（詳細を図面で説明すると、図３の床タイル２の場合は、２−ｄ−アと２−ｆ−アと２−ｃ−アの重なり部分以外と２−ｅ−アの重なり部分以外の４ヶ所が上から見えるＶ型の小さな溝の一部になり、図５の床タイル３の場合は、３−ｃ−イと３−ｃ−ウと３−ｄ−アと３−ｆ−アと３−ｅ−アの重なり部分以外と３−ｃ−エの重なり部分以外の６ヶ所が上から見えるＶ型の小さな溝の一部になり、図７の床タイル４の場合は、４−ｃ−イと４−ｃ−ウと４−ｄ−アと４−ｅ−イと４−ｅ−ウと４−ｆ−アの６ヶ所が上から見えるＶ型の小さな溝の一部になる。）
【０００１４】図１０は、図９が示す説明と同じ理屈のものであるが、床タイル２や３を併用して利用した場合の取付け方法を示した断面図である。上記で述べた収縮に関してだが、本発明の床タイルの形状であれば、２方向は隣接する床タイルの上に重ねるものであるため、とくに下地やそれそのものに、膨張や伸びが生じた場合、図９の８の矢印方向に膨張や伸びの分、逃げることが可能になる。そのため、従来のようにこのような状況の逃げがない取り付け方法で起きる、タイルが割れて破損したり、目地部分のひび割れや、目地部分がはがれるといった現象が起きなくなる。
【０００１５】正、図１１が示すように、何らかの支障により、床タイルを部分的にはがし、補修のため、張り直す場合であっても、９の黒●（図１１で示す９は平面上で見た位置、図９で示す９は同位置を断面上で見た位置を示す。）の位置を持ち上げ、図９の８の矢印方向し抜き取り、以上の逆の方法でもとに戻すことが容易にできる。
【０００１６】本発明のタイルの形状を利用すれば、室内の比較的下地を強固にしづらい、床タイルの仕上げ張り付けの場合であっても、
【０００１２】で述べたタイルとタイルの接続方法により利用し易くなる。
【０００１７】又、図３や図５や図７で示す床タイルの形状を何枚も並べて接続したようにしたデザインの大きな寸法（サイズ）の床タイルを形成すれば（１枚もの、もしくはユニット化したもの、もしくはネット化したもの。）、接続箇所数を削除でき、施工工期短縮が可能となる。
【発明の効果】
【０００１８】本発明の形状によれば、この床タイルを張り並べて仕上げた状況で、目地部分の隙間はほとんど無く、又、目地も無く、従来の目地部分に利用した材料がひび割れたり、はがれるといった現象が起こらなくなり、美しい仕上がりを保つことができる。
【０００１９】本発明の形状によれば、床タイルの張り付け状態の不具合による補修や、部分的に起きた、床タイルの破損による補修の際、床タイルのはがしや張り付けの補修の施工実施が容易に行え、又、美しく仕上げることが可能になる。
【図面の簡単な説明】
【０００２０】
【図１】本発明の実施の形態に係る床タイルの形状を使用して張り並べた場合の、上部から見た平面図である。
【図２】本発明の実施の形態に係る床タイルの形状を示す斜視図である。
【図３】図２で示す床タイルの形状の細部を示す展開図である。
【図４】図２に示す床タイルの形状変形したものを示す斜視図である。
【図５】図４で示す床タイルの形状の細部を示す展開図である。
【図６】図２に示す床タイルの形状変形したものを示す斜視図である。
【図７】図６に示す床タイルの形状の細部を示す展開図である。
【図８】図２で示す床タイルを張り並べる位置を示した、説明用の図である。
【図９】本発明の実施形態に係る床タイルの図２で示す形状のみを張り並べた断面を示す断面図である。
【図１０】本発明の実施形態に係る床タイルの図２と図４で示す形状を張り並べた断面を示す断面図である。
【図１１】本発明の実施形態に係る床タイルを取りはがす場合を示した、説明用の図である。
【図１２】従来の床タイルを張り並べた一例を示す、上部から見た平面図である。
【符号の説明】
２  床タイル本体            ２−ａ  床タイルの正面        ２−ｂ  床タイルの裏面
２−ｃ  床タイルの側面      ２−ｄ  床タイルの側面        ２−ｅ  床タイルの側面
２−ｆ  床タイルの側面      ３  床タイル本体              ３−ａ  床タイルの正面
３−ｂ  床タイルの裏面      ３−ｃ  床タイルの側面        ３−ｄ  床タイルの側面
３−ｅ  床タイルの側面      ３−ｆ  床タイルの側面        ４  床タイル本体
４−ａ  床タイルの正面      ４−ｂ  床タイルの裏面        ４−ｃ  床タイルの側面
４−ｄ  床タイルの側面      ４−ｅ  床タイルの側面        ４−ｆ  床タイルの側面
６  下地                    ７  床タイルを張り付け接着する材料
８  床タイルをはがす場合のはがし方向
９  床タイルをはがす場合にポイントになる位置
１０  従来の床タイル      １１  目地を必要とする位置
【図１】
2006022632.tif 000003
【図２】
2006022632.tif 000004
【図３】
2006022632.tif 000005
【図４】
2006022632.tif 000006
【図５】
2006022632.tif 000007
【図６】
2006022632.tif 000008
【図７】
2006022632.tif 000009
【図８】
2006022632.tif 000010
【図９】
2006022632.tif 000011
【図１０】
2006022632.tif 000012
【図１１】
2006022632.tif 000013
【図１２】
2006022632.tif 000014